(57)【要約】      （修正有）【課題】平常時は隙間なく目地部を塞ぐことができ、躯体が地震によって揺れ動いた場合であっても、他方の目地プレートの背面側に一方の目地プレートが入り込むことを防止でき、かつ、目地プレートの取付基端部と躯体との間のデッドスペースを小さくできる目地装置を提供すること。【解決手段】左右の躯体間の目地部２を塞ぐ目地装置１であって、左右の躯体にそれぞれヒンジ部材５を介して設けられ、かつ、目地部２を塞ぐことができる左右一対の目地プレート６と、目地プレート６の各突出端部に形成されたワイヤー１２を通す召合せ部８と、召合せ部８にそれぞれ設けられたローラー９と、目地プレート６を常に目地部の内方へ付勢する左右の目地プレート付勢機構１０と、目地プレート６が所定角度以上内方へ回転することを防止するストッパー１１とで構成される。【選択図】図１
2018062796.tif 000002
【特許請求の範囲】
【請求項１】
左右の躯体間の目地部を塞ぐ目地装置であって、前記左右の躯体にそれぞれヒンジ部材を介して設けられ、かつ、前記目地部を塞ぐことができる左右一対の目地プレートと、該目地プレートの各突出端部に形成されたワイヤーを通す召合せ部と、該召合せ部にそれぞれ設けられたローラーと、前記目地プレートを常に目地部の内方へ付勢する左右の目地プレート付勢機構と、前記目地プレートが所定角度以上内方へ回転することを防止するストッパーとで構成され、前記左右の目地プレート付勢機構は、前記目地プレートにそれぞれ取り付けられた前記ワイヤーと、該ワイヤーにそれぞれ接続された付勢具とより成り、前記ワイヤーは、その先端部が前記目地プレートにそれぞれ固定され、前記召合せ部及び前記ローラーを経由して前記付勢具に接続され、地震によって躯体が揺れ動いた場合、前記召合せ部は、前記目地プレートの各突出端部が互いに重ならないように、前記目地プレート付勢機構によって接続されており、また、前記目地プレートは、その前記取付基端部よりも前記突出端部が外方に位置するように設けられていることを特徴とする目地装置。
【請求項２】
前記一方の目地プレート付勢機構のワイヤーは、その先端部が一方の目地プレートの背面側に固定され、この固定端部から一方の目地プレートのローラー、一方の目地プレートの透孔、他方の目地プレートの透孔、他方の目地プレートのローラー、他方の目地プレートの透孔、一方の目地プレートの透孔、一方の目地プレートのローラーの順に経由して一方の躯体に取り付けられた付勢具に接続され、他方の目地プレート付勢機構のワイヤーは、その先端部が他方の目地プレートの背面側に固定され、この固定端部から他方の目地プレートのローラー、他方の目地プレートの透孔、一方の目地プレートの透孔、一方の目地プレートのローラー、一方の目地プレートの透孔、他方の目地プレートの透孔、他方の目地プレートのローラーの順に経由して他方の躯体に取り付けられた付勢具に接続されていることを特徴とする請求項１に記載の目地装置。
【請求項３】
一方の目地プレートの召合せ部又は他方の目地プレートの召合せ部のいずれかには、左右の目地プレートの当接部分をカバーするカバー板が設けられていることを特徴とする請求項１又は請求項２のいずれかに記載の目地装置。
【発明の詳細な説明】
【技術分野】
【０００１】
本発明は目地部を介して設けられた躯体の間の目地部を塞ぐ目地装置に関する。
【背景技術】
【０００２】
従来、壁面間や天井間の目地部を塞ぐ目地装置としては、「目地部を介して設けられた左右の建物の目地部側の一方の壁面に目地部のほぼ半分を覆う一方の目地プレートを取付けることができるように所定間隔で先端部が外方へだけ回転可能に取付けられた、少なくとも先端部が三角形状の複数個の一方の回転ブラケットと、この複数個の一方の回転ブラケットに取付けられた、前記目地部のほぼ半分を覆う一方の目地プレートと、前記複数個の一方の回転ブラケットと対向する他方の壁面に、該一方の回転ブラケットの先端部を支持する支持凹部が先端部に形成され、先端部が外方へだけ回転可能に取付けられた複数個の他方の回転ブラケットと、この複数個の他方の回転ブラケットに支持凹部も覆うように取付けられた、前記目地部のほぼ半分を覆う他方の目地プレートと、この他方の目地プレートあるいは前記他方の回転ブラケットの先端部に一端部が取付けられ、他端部が前記一方の壁面に固定あるいはガイドリングを介して取付けられた他方の目地プレート付勢機構と、前記一方の目地プレートあるいは前記一方の回転ブラケットの先端部に一端部が取付けられ、他端部が前記他方の壁面に固定あるいはガイドリングを介して取付けられた一方の目地プレート付勢機構を備える目地装置」が知られていた（例えば特許文献１）。
【０００３】
しかしながら、このような目地装置では前記特許文献の図１２に示すように躯体が地震によって目地部の前後方向（天井用に使用した場合には目地部の上下方向）に揺れ動き、その後、揺れ動きが終息し元の位置に建物等が復帰した場合に、２枚の目地プレートのうち、他方の目地プレートの背面側（図１２においては上方）に一方の目地プレートの先端部が入り込んでしまうという欠点があった。
【０００４】
また、このような目地プレートは、地震によって目地部が狭くなった場合に、合掌状態となるように、目地プレートの回動支点（枢支ピン）が目地プレートの背面側に一定の距離を隔てて設けられている。そのため、目地プレートが回動した際に、取付基端部側が躯体の壁面に衝突しないように、目地プレートの取付基端部側にスペースを設ける必要があった。
【先行技術文献】
【特許文献】
【０００５】
【特許文献１】特許第３７１８４５４号公報
【発明の概要】
【発明が解決しようとする課題】
【０００６】
本発明は以上のような従来の欠点に鑑み、平常時は隙間なく目地部を塞ぐことができ、躯体が地震によって揺れ動いた場合であっても、他方の目地プレートの背面側に一方の目地プレートが入り込むことを防止でき、かつ、目地プレートの取付基端部と躯体との間のデッドスペースを小さくできる目地装置を提供することを目的としている。
【０００７】
本発明の前記ならびにそのほかの目的と新規な特徴は次の説明を添付図面と照らし合わせて読むと、より完全に明らかになるであろう。
【０００８】
ただし、図面はもっぱら解説のためのものであって、本発明の技術的範囲を限定するものではない。
【課題を解決するための手段】
【０００９】
上記目的を達成するために、本発明の目地装置は、左右の躯体間の目地部を塞ぐ目地装置であって、前記左右の躯体にそれぞれヒンジ部材を介して設けられ、かつ、前記目地部を塞ぐことができる左右一対の目地プレートと、該目地プレートの各突出端部に形成されたワイヤーを通す召合せ部と、該召合せ部にそれぞれ設けられたローラーと、前記目地プレートを常に目地部の内方へ付勢する左右の目地プレート付勢機構と、前記目地プレートが所定角度以上内方へ回転することを防止するストッパーとで構成され、前記左右の目地プレート付勢機構は、前記目地プレートにそれぞれ取り付けられた前記ワイヤーと、該ワイヤーにそれぞれ接続された付勢具とより成り、前記ワイヤーは、その先端部が前記目地プレートにそれぞれ固定され、前記召合せ部及び前記ローラーを経由して前記付勢具に接続され、地震によって躯体が揺れ動いた場合、前記召合せ部は、前記目地プレートの各突出端部が互いに重ならないように、前記目地プレート付勢機構によって接続されており、また、前記目地プレートは、その前記取付基端部よりも前記突出端部が外方に位置するように設けられていることを特徴とする。
【発明の効果】
【００１０】
以上の説明から明らかなように、本発明にあっては次に列挙する効果が得られる。
（１）請求項１に記載の発明においては、一方の目地プレート及び他方の目地プレートの召合せ部は前記目地プレート付勢機構によって連結されているため、地震によって躯体が異なる前後方向に揺れ動いてもの一方（他方）目地プレートの背面側に他方（一方）の目地プレートが入り込むことを防止できる。
（２）また、左右一対の目地プレートは、その取付基端部よりも突出端部が外方に位置するように設けられていると共に、突出端部に形成された傾斜面状の召合せ部によって、地震によって躯体が異なる前後方向に揺れ動いてもの一方（他方）目地プレートの背面側に他方（一方）の目地プレートが入り込むことを防止できる。
【００１１】
したがって、目地プレートを薄板で形成することができ、躯体の壁面とのデッドスペースを小さくすることができる。
（３）地震による揺れ動きがおさまった場合には、目地プレート付勢機構及びストッパーによって、目地プレートが目地部内方に回動して所定の位置で回動を停止させることができる。
【００１２】
したがって、自動で通常状態に復帰することができる。
（４）請求項２に記載の各発明においても、前記（１）〜（３）と同様な効果が得られると共に、より確実に一方（他方）目地プレートの背面側に他方（一方）の目地プレートが入り込むことを防止できる。
（５）請求項３に記載の発明においても、前記（１）〜（４）と同様な効果が得られる。
【図面の簡単な説明】
【００１３】
図１乃至図８は本発明の第１の実施形態を示す説明図である。
図９乃至図１３は本発明の第２の実施形態を示す説明図である。
【図１】第１の実施形態の目地装置の正面図。
【図２】図１の２−２線に沿う断面図。
【図３】目地プレートの説明図。
【図４】一方の目地プレート付勢機構の説明図。
【図５】他方の目地プレート付勢機構の説明図。
【図６】地震で目地部が狭くなった動作説明図。
【図７】地震で目地部が広くなった動作説明図。
【図８】地震で躯体が異なる前後方向に揺れ動いた状態の動作説明図。
【図９】第２の実施形態の目地装置の底面図。
【図１０】図９の１０−１０線に沿う断面図。
【図１１】地震で目地部が狭くなった動作説明図。
【図１２】地震で目地部が広くなった動作説明図。
【発明を実施するための形態】
【００１４】
以下、図面に示す本発明を実施するための形態により、本発明を詳細に説明する。
図１乃至図８に示す本発明を実施するための第１の形態において、１は目地部２を介して設けられた一方の躯体３及び他方の躯体４間に設置された目地装置であって、本実施の形態においては、一方の躯体３及び他方の躯体４の壁面間の目地部を略垂直方向に塞ぐ壁面用目地装置として用いられるものである。
【００１５】
なお、左右方向とは図１（正面視）における左右方向であり、前後方向とは図２（平面視）における上下方向（正面視における奥手前方向）をいう。目地部の外方とは、躯体の外側壁面方向（図２における下方向）であり、目地部の内方とは、躯体の内側壁面方向（図２における上方向）をいう。
【００１６】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１７】
この目地装置１は、図１及び図２に示すように、一方の躯体３及び他方の躯体４の壁面間の目地部２を略垂直状態で塞ぐ壁面用目地装置１であって、前記左右の躯体３、４にそれぞれヒンジ部材５を介して設けられ、前記目地部２を塞ぐことができる左右一対の板状の目地プレート６と、該左右一対の目地プレート６の各突出端部６ｂに形成された傾斜面状で、かつ、透孔７を備える召合せ部８と、該召合せ部８にそれぞれ設けられたローラー９と、前記左右一対の目地プレート６を常に目地部の内方へ付勢する左右の目地プレート付勢機構１０と、前記目地プレートが所定角度以上内方へ回転することを防止するストッパー１１とで構成されている。
【００１８】
前記左右の目地プレート６は、金属製の薄板で形成されており、図３に示すように、取付基端部６ａが前記ヒンジ部材５を介して一方の躯体３に回転可能に取り付けられており、突出端部６ｂには目地プレート６を折り曲げて形成した召合せ部８が形成されている。
【００１９】
本実施の形態においては、一方の躯体３付近に取付基端部６ａが位置し、突出端部６ｂ（召合せ部８の先端部分）が目地部２の略中央までを塞ぐような寸法で形成されている。この召合せ部８には、目地プレート付勢機構１０のワイヤー１２が通過するための透孔７が形成されている。また、一方の目地プレート６の取付基端部付近の背面側（召合せ部８の内側部分）には、前記目地プレート付勢機構１０のワイヤー１２を経由させるローラー９が固定されている。
【００２０】
なお、前記召合せ部８は、不連続に複数設けてもよい。
【００２１】
前記他方の目地プレート６には、本実施形態においては、召合せ部８の先端部の外側部位に左右の目地プレート６の当接部分をカバーするカバー板１３が設けられている。
【００２２】
前記召合せ部８には、目地プレート付勢機構１０のワイヤー１２が通過する透孔７が上下方向に複数個設けられており、ワイヤー１２が直接透孔７の縁に接触しないように、前記ローラー９が透孔７付近に設けられている。
本実施形態において、このローラー９は、上下方向に延伸する長尺の軸１４にパイプ状のものを挿入している。
【００２３】
前記目地プレート付勢機構１０は、図４及び図５に示すように、左右の躯体３、４の内側壁面３ａ、４ａにそれぞれ複数個、本実施形態においては３個ずつ取り付けられた付勢具１６と、該付勢具１６に連結されたワイヤー１２とで構成されている。
本実施の形態において付勢具１６として、ゼンマイバネを用いたリールを使用している。
【００２４】
この左右の目地プレート付勢機構１０のワイヤー１２は、その先端部が左右の目地プレート６にそれぞれ固定され、前記左右の目地プレート６の召合せ部７の透孔７及び前記ローラー９を経由して前記左右の付勢具１６にそれぞれ接続されている。
地震によって躯体が揺れ動いた場合には、前記左右一対の目地プレート６の各他端部が互いに重ならないように、前記召合せ部８は前記目地プレート付勢機構１０のワイヤー１２によって接続されている。
【００２５】
具体的には、一方の目地プレート付勢機構１０のワイヤー１２は、その先端部が一方の目地プレート６の突出端部付近の背面側に固定され、この固定端部から一方の目地プレート６のローラー９の目地部２側、一方の目地プレート６の透孔７、他方の目地プレート６の透孔７、他方の目地プレート６のローラー９を半周するように経由し、他方の目地プレート６の透孔７、一方の目地プレート６の透孔７、一方の目地プレート６のローラー９の目地プレート６側の順に経由して一方の躯体３の内壁面３ａに取り付けられた付勢具１６に接続される。このようにワイヤー１２を経由させることにより、左右の目地プレート６が接続され前記左右一対の目地プレート６の各他端部が互いに重なることがない。
【００２６】
また、このようにワイヤー１２を経由させることにより、通常状態や地震による揺れ動き状態においてもワイヤー１２が透孔７の縁部に接触することなく、ワイヤー１２が擦れて切れることを防止できる。
【００２７】
他方の目地プレート付勢機構のワイヤー１２は、その先端部が他方の目地プレート６の突出端部付近の背面側に固定され、この固定端部から他方の目地プレート６のローラー９の目地部２側、他方の目地プレート６の透孔７、一方の目地プレート６の透孔７、一方の目地プレート６のローラー９を半周するように経由し、一方の目地プレート６の透孔７、他方の目地プレート６の透孔７、他方の目地プレート６のローラー９の目地プレート６側の順に経由して他方の躯体４の内壁面４ａに取り付けられた付勢具１６に接続される。
【００２８】
このように左右の目地プレート付勢機構１０を用いることにより、左右の目地プレート６を均等に付勢することができる。
本実施の形態において、目地プレート付勢機構１０は、上下方向に所定間隔を有して３つずつ設けられている。目地プレート付勢機構１０を設ける数量は、一方の目地プレート６の大きさ等によって、適宜変更することが可能であるが、目地プレート等を均等に付勢するために、複数個用いることが望ましい。
【００２９】
前記ストッパー１１は、目地プレート６の取付基端部付近の背面に設けられたアングル状の金具で、その先端部が躯体３、４の内壁面３ａ、４ａに当接し、目地プレート６が所定の角度以上目地部の内方に回動しないように、制限するものである。
【００３０】
地震で躯体３、４が左右方向に揺れ動き目地部２が狭くなると、図６に示すように、左右の目地プレート６の突出端部６ｂには荷重が加わり、左右の躯体３、４の外側壁面３ｂ、４ｂ方向へ力が加わる。これにより、目地プレート６は目地プレート付勢機構１０の付勢力に抗して外側へ回転して合掌状態となり、揺れ動きを吸収する。地震による揺れ動きが収まると、目地プレート付勢機構１０の付勢力によって目地プレート６は、元の状態に自動的に戻る。
【００３１】
地震で躯体３、４が左右方向に揺れ動き目地部２が広くなると、図７に示すように、目地プレート６が離間して揺れ動きを吸収し、地震による揺れ動きが収まると、元の状態に自動的に戻る。
【００３２】
地震で躯体３、４が異なる前後方向に揺れ動くと、図８に示すように、目地プレート付勢機構１０の付勢力によって他方の目地プレート６は外側に回転し揺れ動きを吸収し、地震による揺れ動きが収まると、元の状態に自動的に戻る。この時、他方の目地プレート６の召合せ部８は目地プレート付勢機構１０のワイヤー１２によって、一方の目地プレート６の召合せ部８と連結されているので、一方の目地プレート６の背面側に他方の目地プレート６が入り込むことを防止することができる。
【００３３】
なお、一方の躯体が他方の躯体よりも内側方向に揺れ動いた場合には、一方の目地プレート６は前述の他方の目地プレート６と同様に、地震による揺れ動きを吸収する。
【００３４】
[発明を実施するための異なる形態]
次に、図９乃至図１２に示す本発明を実施するための異なる形態につき説明する。なお、これらの本発明を実施するための異なる形態の説明に当って、前記本発明を実施するための第１の形態と同一構成部分には同一符号を付して重複する説明を省略する。  
【００３５】
図９乃至図１２に示す本発明を実施するための第２の形態において、前記本発明を実施するための第１の形態と主に異なる点は、付勢具１６Ａとしてコイルスプリングを用いた目地プレート付勢機構１０Ａとし、複数個の滑車を用いたローラー９Ａとし、カバー板１３を設けないとともに、一方の躯体３及び他方の躯体４の天井間の目地部２を略水平状態で塞ぐ天井用目地装置として用いた点で、このような目地装置１Ａにしても、前記本発明を実施するための第１の形態と同様の作用効果を得ることができる。
【００３６】
なお、ストッパーとして、前記特許文献１に用いられているブラケットのような部材を用いてもよい。本発明の実施形態においては、目地プレートの背面にストッパーを取り付けたが、ヒンジ部材、躯体の内側壁面等にストッパーを取り付けてもよい。
【００３７】
また、本発明の実施形態においては、カバー板を他方の目地プレートに設けたが、一方の目地プレートにカバー板を設けてもよいし、カバー板を備えない目地装置としてもよい。
【００３８】
本発明の実施形態においては、付勢具としてゼンマイバネやコイルスプリングを用いるものについて説明したが、これらの代わりにワイヤーの端部に錘を吊り下げて、付勢具としてもよい。
【００３９】
本発明の実施形態においては、召合せ部を傾斜面状としたが、目地部が狭くなった場合に確実に合掌状態となる形状（例えば、一対の目地プレートの突出端部同士が噛み合うギア状等）であれば、どのような形状の召合せ部としてもよい。
【産業上の利用可能性】
【００４０】
本発明は目地装置を製造する産業で利用される。
【符号の説明】
【００４１】
１、１Ａ：目地装置、                ２：目地部、
３：一方の躯体、                    ４：他方の躯体、
５：ヒンジ部材、                    ６：目地プレート、
７：透孔、                          ８：召合せ部、
９、９Ａ：ローラー、                １０、１０Ａ：目地プレート付勢機構、
１１：ストッパー、                  １２：ワイヤー、
１３：カバー板、                    １４：軸、
１６、１６Ａ：付勢具。
【図１】
2018062796.tif 000003
【図２】
2018062796.tif 000004
【図３】
2018062796.tif 000005
【図４】
2018062796.tif 000006
【図５】
2018062796.tif 000007
【図６】
2018062796.tif 000008
【図７】
2018062796.tif 000009
【図８】
2018062796.tif 000010
【図９】
2018062796.tif 000011
【図１０】
2018062796.tif 000012
【図１１】
2018062796.tif 000013
【図１２】
2018062796.tif 000014
【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
左右の躯体間の目地部を塞ぐ目地装置であって、前記左右の躯体にそれぞれヒンジ部材を介して設けられ、かつ、前記目地部を塞ぐことができる左右一対の目地プレートと、該目地プレートの各突出端部に形成されたワイヤーを通す召合せ部と、該召合せ部にそれぞれ設けられたローラーと、前記目地プレートを常に目地部の内方へ付勢する左右の目地プレート付勢機構と、前記目地プレートが所定角度以上内方へ回転することを防止するストッパーとで構成され、前記左右の目地プレート付勢機構は、前記目地プレートにそれぞれ取り付けられた前記ワイヤーと、該ワイヤーにそれぞれ接続された付勢具とより成り、前記ワイヤーは、その先端部が前記目地プレートにそれぞれ固定され、前記召合せ部及び前記ローラーを経由して前記付勢具に接続され、地震によって躯体が揺れ動いた場合、前記召合せ部は、前記目地プレートの各突出端部が互いに重ならないように、前記目地プレート付勢機構によって接続されており、また、前記目地プレートは、その取付基端部よりも前記突出端部が外方に位置するように設けられていることを特徴とする目地装置。
【請求項２】
前記一方の目地プレート付勢機構のワイヤーは、その先端部が一方の目地プレートの背面側に固定され、この固定端部から一方の目地プレートのローラー、一方の目地プレートの透孔、他方の目地プレートの透孔、他方の目地プレートのローラー、他方の目地プレートの透孔、一方の目地プレートの透孔、一方の目地プレートのローラーの順に経由して一方の躯体に取り付けられた付勢具に接続され、他方の目地プレート付勢機構のワイヤーは、その先端部が他方の目地プレートの背面側に固定され、この固定端部から他方の目地プレートのローラー、他方の目地プレートの透孔、一方の目地プレートの透孔、一方の目地プレートのローラー、一方の目地プレートの透孔、他方の目地プレートの透孔、他方の目地プレートのローラーの順に経由して他方の躯体に取り付けられた付勢具に接続されていることを特徴とする請求項１に記載の目地装置。
【請求項３】
一方の目地プレートの召合せ部又は他方の目地プレートの召合せ部のいずれかには、左右の目地プレートの当接部分をカバーするカバー板が設けられていることを特徴とする請求項１又は請求項２のいずれかに記載の目地装置。
【手続補正２】
【補正対象書類名】明細書
【補正対象項目名】０００９
【補正方法】変更
【補正の内容】
【０００９】
上記目的を達成するために、本発明の目地装置は、左右の躯体間の目地部を塞ぐ目地装置であって、前記左右の躯体にそれぞれヒンジ部材を介して設けられ、かつ、前記目地部を塞ぐことができる左右一対の目地プレートと、該目地プレートの各突出端部に形成されたワイヤーを通す召合せ部と、該召合せ部にそれぞれ設けられたローラーと、前記目地プレートを常に目地部の内方へ付勢する左右の目地プレート付勢機構と、前記目地プレートが所定角度以上内方へ回転することを防止するストッパーとで構成され、前記左右の目地プレート付勢機構は、前記目地プレートにそれぞれ取り付けられた前記ワイヤーと、該ワイヤーにそれぞれ接続された付勢具とより成り、前記ワイヤーは、その先端部が前記目地プレートにそれぞれ固定され、前記召合せ部及び前記ローラーを経由して前記付勢具に接続され、地震によって躯体が揺れ動いた場合、前記召合せ部は、前記目地プレートの各突出端部が互いに重ならないように、前記目地プレート付勢機構によって接続されており、また、前記目地プレートは、その取付基端部よりも前記突出端部が外方に位置するように設けられていることを特徴とする。